Podtech/llm-jp-corpus-v4-ja_patent huggingface dataset:
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
（ａ）ME-5（SEQ ID NO:３）の少なくとも５アミノ酸のポリペプチドエピトープをエンコードするSEQ ID NO:２から単離されたヌクレオチド配列、
（ｂ）ME-2（SEQ ID NO:６）の少なくとも５アミノ酸のポリペプチドエピトープをエンコードするSEQ ID NO:５から単離されたヌクレオチド配列、又は
（ｃ）EPP2（SEQ ID NO:９）の少なくとも５アミノ酸のポリペプチドエピトープをエンコードするSEQ ID NO:８から単離されたヌクレオチド配列
を有する組み換え型ポリヌクレオチドであり、上記エピトープは子宮内膜症と診断される患者からの抗体と特異的に結合するポリヌクレオチド。
【請求項２】
上記ヌクレオチド配列は
（ａ）SEQ ID NO:１のME-5配列、
（ｂ）SEQ ID NO:４のME-2配列、又は
（ｃ）SEQ ID NO:７のEPP2配列
から選ばれる請求項１のポリヌクレオチド。
【請求項３】
上記ヌクレオチド配列は天然ME-5、ME-2、又はEPP2ヌクレオチド配列である請求項１のポリヌクレオチド。
【請求項４】
上記ヌクレオチド配列は、
（ａ）SEQ ID NO:２のヌクレオチド１〜９１２、
（ｂ）SEQ ID NO:５のヌクレオチド１〜１１８２、又は
（ｃ）SEQ ID NO:８のヌクレオチド１〜３００
と実質的に同一である請求項１のポリヌクレオチド。
【請求項５】
そのアミノ酸配列が、SEQ ID NO:３、SEQ ID NO:６若しくはSEQ ID NO:９、又はSEQ ID NO:３、SEQ ID NO:６若しくはSEQ ID NO:９の対立遺伝子変異体の配列と実質的に同一である精製組み換え型ME-5ポリペプチド。
【請求項６】
ME-5（SEQ ID NO:３）、ME-2（SEQ ID NO:６）又はEPP2（SEQ ID NO:９）の少なくとも５アミノ酸のエピトープを含有する精製ポリペプチドであり、上記エピトープは子宮内膜症と診断される患者からの抗体と特異的に結合するポリペプチド。
【請求項７】
ME-5ポリペプチド（SEQ ID NO:３）、ME-2ポリペプチド（SEQ ID NO:６）又はEPP2ポリペプチド（SEQ ID NO:９）のエピトープへ特異的に結合する抗体から本質的に構成される組成物。
【請求項８】
上記抗体はモノクローナル抗体である請求項７の組成物。
【請求項９】
下記ステップを含有する、サンプル中のME-5ポリペプチド（SEQ ID NO:３）、ME-2ポリペプチド（SEQ ID NO:６）又はEPP2ポリペプチド（SEQ ID NO:９）検出方法：
（ａ）サンプルをME-5、ME-2又はEPP2ポリペプチドのエピトープへ特異的に結合する抗体と接触させるステップ、及び
（ｂ）その抗体及びME-5、ME-2又はEPP2ポリペプチド間の特異的な結合を検出するステップ；
但し、特異的な結合はサンプル中のME-5、ME-2又はEPP2ポリペプチドの検出を可能とする。
【請求項１０】
少なくとも１種の請求項５又は６のポリペプチドを含有する組成物。
【請求項１１】
３種のME-5、ME-2及びEPP2ポリペプチド全てを含有する請求項１０の組成物。
【請求項１２】
下記ステップを含有する、ヒト患者の子宮内膜症の診断に使用される固定化されたペプチド：
（ａ）患者からのサンプル中の、ME-5ポリペプチド（SEQ ID NO:３）又はME-5のエピトープを含有するペプチド、ME-2（SEQ ID NO:６）ポリペプチド又はME-2のエピトープを含有するペプチド、及びEPP2（SEQ ID NO:９）ポリペプチド又はEPP2のエピトープを含有するペプチドの群から選ばれた少なくとも一種へ特異的に結合する抗体の実験値を検知するステップ；及び
（ｂ）実験値を子宮内膜症に罹患していない被検体からのコントロールサンプル中の抗体の正常範囲と比較するステップ、
但し、正常範囲を超える実験値は子宮内膜症の診断の正の指標を示し、
上記ペプチドは、ME-5又はME-5のエピトープを含有するペプチド、ME-2又はME-2のエピトープを含有するペプチド、及びEPP2又はEPP2のエピトープを含有するペプチドから選ばれる。
【請求項１３】
上記サンプルは血清を含有する請求項１２の固定化されたペプチド。
【請求項１４】
上記結合されるペプチドは、ME-2である請求項１２又は１３の固定化されたペプチド。
【請求項１５】
上記結合されるペプチドは、ME-5である請求項１２又は１３の固定化されたペプチド。
【請求項１６】
上記結合されるペプチドは、EPP2である請求項１２又は１３の固定化されたペプチド。
【請求項１７】
上記結合されるペプチドは、ME-2、ME-5及びEPP2を含む請求項１２又は１３の固定化されたペプチド。
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
基材とその表面に開口部を有したナノ径の細孔に対して固体粒子が充填され、その固体粒子は、充填前に予め粒子化されていてその形状を変えずに充填されてなることを特徴とするナノ構造体。
【請求項２】
請求項１に記載のナノ構造体において、細孔のそれぞれに複数の固体粒子が孔の深さ方向に一列状に充填されてなることを特徴とするナノ構造体。
【請求項３】
請求項１に記載のナノ構造体において、細孔内のそれぞれに充填されている複数の固体粒子が相互に一体化されてなることを特徴とするナノ構造体。
【請求項４】
請求項１から３のいずれかに記載のナノ構造体において、前記固体粒子は、金属、酸化物半導体、有機物であることを特徴とする。
【請求項５】
請求項１から４のいずれかに記載のナノ構造体において、基材の細孔は、陽極酸化により作製されたものであることを特徴とする。
【請求項６】
請求項１から５のいずれかに記載のナノ構造体を製造する方法であって、被充填固体粒子がコロイド粒子として液体中に分散しているコロイド溶液を入れた容器の底部に、表面を上方に向けて前記基材を配置し、これらに容器の上面側を回転中心として遠心力を負荷することを特徴とする固体粒子充填方法。
【手続補正２】
【補正対象書類名】明細書
【補正対象項目名】発明の名称
【補正方法】変更
【補正の内容】
【発明の名称】ナノ構造体とこれを製造する為の固体粒子充填方法
【手続補正３】
【補正対象書類名】明細書
【補正対象項目名】０００１
【補正方法】変更
【補正の内容】
【０００１】
この出願の発明は、ナノ構造体とこれを製造する為の固体粒子充填方法に関するものである。
【手続補正４】
【補正対象書類名】明細書
【補正対象項目名】０００４
【補正方法】変更
【補正の内容】
【０００４】
そこで、この出願の発明は、以上のような背景から、従来の問題点を解消し、簡便かつ低コストでナノメートルオーダーの孔に物質を充填することができる固体物質充填方法とナノ構造体を提供することを課題としている。
【手続補正５】
【補正対象書類名】明細書
【補正対象項目名】０００５
【補正方法】変更
【補正の内容】
【０００５】
この出願の発明は、上記の課題を解決するものとして、発明１のナノ構造体は、基材とその表面に開口部を有したナノ径の細孔に対して固体粒子が充填され、その固体粒子は、充填前に予め粒子化されていてその形状を変えずに充填されてなることを特徴とする。
発明２は、発明１のナノ構造体において、細孔のそれぞれに複数の固体粒子が孔の深さ方向に一列状に充填されてなることを特徴とする。
【手続補正６】
【補正対象書類名】明細書
【補正対象項目名】０００６
【補正方法】変更
【補正の内容】
【０００６】
発明３は、発明１のナノ構造体において、細孔内のそれぞれに充填されている複数の固体粒子が相互に一体化されてなることを特徴とする。
発明４は、発明１から３のいずれかのナノ構造体において、前記固体粒子は、金属、酸化物半導体、有機物であることを特徴とする。
【手続補正７】
【補正対象書類名】明細書
【補正対象項目名】０００７
【補正方法】変更
【補正の内容】
【０００７】
発明５は、発明１から４のいずれかのナノ構造体において、基材の細孔は、陽極酸化により作製されたものであることを特徴とする。
【手続補正８】
【補正対象書類名】明細書
【補正対象項目名】０００８
【補正方法】変更
【補正の内容】
【０００８】
発明６は、発明１から５のいずれかのナノ構造体を製造する方法であって、被充填固体粒子がコロイド粒子として液体中に分散しているコロイド溶液を入れた容器の底部に、表面を上方に向けて前記基材を配置し、これらに容器の上面側を回転中心として遠心力を負荷することを特徴とする固体粒子充填方法。
【手続補正９】
【補正対象書類名】明細書
【補正対象項目名】０００９
【補正方法】変更
【補正の内容】
【０００９】
発明６によれば、非常に簡便かつ安価にナノサイズの孔に粒状の物質を充填することができる。
【手続補正１０】
【補正対象書類名】明細書
【補正対象項目名】００１０
【補正方法】変更
【補正の内容】
【００１０】
第１から４の発明によれば、特定の固体粒子が孔内に充填され、固体粒子特有の機能を付与することができる。
【手続補正１１】
【補正対象書類名】明細書
【補正対象項目名】００１１
【補正方法】変更
【補正の内容】
【００１１】
基材を陽極酸化により作製されたアルミナを用いると、基材表面に規則的に配列したナノサイズの孔をナノメートルオーダーで制御することができ、その孔内に充填される固体粒子を基材上に規則的に配列させることができる。
【手続補正１２】
【補正対象書類名】明細書
【補正対象項目名】００１２
【補正方法】変更
【補正の内容】
【００１２】
微細な孔の直径と固体粒子の直径を同程度にして固体粒子を孔内に順次充填させることで、固体粒子を孔内に一列に充填させることができる。
【手続補正１３】
【補正対象書類名】明細書
【補正対象項目名】００１３
【補正方法】変更
【補正の内容】
【００１３】
微細な孔に複数個の固体粒子を充填した後、基材を熱処理することで、孔内の複数個の固体粒子を一つにすることができ、所望の形状や機能を付与することができる。
【手続補正１４】
【補正対象書類名】明細書
【補正対象項目名】００１４
【補正方法】変更
【補正の内容】
【００１４】
ナノサイズの孔内に固体粒子が充填されたナノ構造体が提供され、フォトニック構造体、磁性粒子を用いた場合には記憶媒体、半導体粒子を用いた場合には量子効果素子等とすることができる。
【手続補正１５】
【補正対象書類名】明細書
【補正対象項目名】００１５
【補正方法】変更
【補正の内容】
【００１５】
特定の固体粒子が孔内に充填されることで、固体粒子特有の機能を有するナノ構造体を提供することができる。
【手続補正１６】
【補正対象書類名】明細書
【補正対象項目名】００１６
【補正方法】変更
【補正の内容】
【００１６】
基材を陽極酸化により作製されたアルミナとすることで、基材表面に規則的に配列したナノサイズの孔をナノメートルオーダーで制御することができ、その孔内に固体粒子が充填され、基材上に規則的に配列された固体粒子のナノ構造体とすることができる。
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
ａ）ハンドピースの外殻と、
ｂ）前記外殻内に保持される超音波ホーンであって、第１の周波数を有する第１の駆動信号に応答して該超音波ホーンにねじれ運動を生じ、且つ第２の周波数を有する第２の駆動信号に応答して該超音波ホーンに縦運動を生じる大きさと間隔の複数の円周方向斜めスリットを有する超音波ホーンと、
ｃ）複数のピエゾ素子とを有し、
前記ピエゾ素子及び前記超音波ホーンが、ねじれ結節点と縦結節点が一致するように前記外殻内に保持される、超音波ハンドピース。
【請求項２】
前記第１の駆動信号と前記第２の駆動信号は、交互に入れ替わり、且つ重ならない、請求項１に記載の超音波ハンドピース。
【手続補正書】
【提出日】平成19年8月6日(2007.8.6)
【手続補正１】
【補正対象書類名】明細書
【補正対象項目名】００３２
【補正方法】変更
【補正の内容】
【００３２】
また、図３に示すように、筐体６の天板６ａの大部分について、吐出ノズル１０から筐体６の内部に排出された微細な粒子となった粉体がこの天板６ａに付着し、ある期間の経過後に、凝集体となって散布面１２上に落下し障害となることを防止するため、粉体付着防止用の散気機構１５を設けることが好ましい。
【手続補正書】
【提出日】平成19年1月16日(2007.1.16)
【手続補正１】
【補正対象書類名】特許請求の範囲
【補正対象項目名】請求項１１
【補正方法】変更
【補正の内容】
【請求項１１】
前記画像処理方法は、前記所定範囲の連続する画像間の対応する画素各々の内で最大画素値を利用して、その所定数の連続する画像のＭＩＰ画像を生成する画像処理である
ことを特徴とする請求項９に記載の画像処理装置。
【手続補正書】
【提出日】平成19年5月28日(2007.5.28)
【手続補正１】
【補正対象書類名】明細書
【補正対象項目名】００２０
【補正方法】変更
【補正の内容】
【００２０】
コップ状容器（Ｂ）のフランジ（１）は、カール縁（１０）を備え、カール縁巾を含んで巾５．２ｍｍである。容器（Ｂ）の口部に垂直断面略Ｌ形の段部（１１）が設けられており、段部（１１）を境にしてその上方は断面円形となされ、その下方は断面八角形でかつテーパが付けられている。容器（Ｂ）は、厚さ１２０μのアルミニウム箔芯層とその内面に形成せられた厚さ２００μのフィルムよりなる未延伸ポリプロピレン被覆層とその外面に形成せられた厚さ３０μのフィルムよりなる未延伸ポリプロピレン被覆層よりなる積層シートを冷間多段深絞り成形することにより形成せられたものである。
【手続補正書】
【提出日】平成19年1月17日(2007.1.17)
【手続補正１】
【補正対象書類名】特許請求の範囲
【補正対象項目名】請求項１
【補正方法】変更
【補正の内容】
【請求項１】
通電に応じてインクを吐出するために利用される熱エネルギを発生する発熱部を有するインクジェットヘッド用基板であって、
前記発熱部を形成するための間隙を有する電極配線層と、
前記間隙を含め前記電極配線層の上層として配置される発熱抵抗体層と、
前記電極配線層および前記発熱抵抗体層の上層として配置され、前記発熱部上で前記間隙より広い間隙を有する第１保護層と、
該第１保護層が有する間隙を含め前記第１保護層の上層として配置される第２保護層と、
を具えたことを特徴とするインクジェットヘッド用基板。
【手続補正２】
【補正対象書類名】特許請求の範囲
【補正対象項目名】請求項７
【補正方法】変更
【補正の内容】
【請求項７】
通電に応じてインクを吐出するために利用される熱エネルギを発生する発熱部を有するインクジェットヘッド用基板の製造方法であって、
基体上に、前記発熱部を形成するための間隙を有する電極配線層を配置する工程と、
前記間隙を含め前記電極配線層の上層として発熱抵抗体層を配置する工程と、
前記電極配線層および前記発熱抵抗体層の上層として第１保護層を配置する工程と、
該第１保護層を前記発熱部上で前記間隙より広い間隙を有する範囲で除去する除去工程と、
前記範囲を含め前記第１保護層の上層として第２保護層を配置する工程と、
を具えたことを特徴とするインクジェットヘッド用基板の製造方法。
【手続補正３】
【補正対象書類名】特許請求の範囲
【補正対象項目名】請求項１０
【補正方法】変更
【補正の内容】
【請求項１０】
前記発熱抵抗体層を配置する工程後に、前記第１保護層を配置する工程を含め前記基体が４００℃以上にさらされる工程が存在することを特徴とする請求項７ないし請求項９のいずれかに記載のインクジェット記録ヘッド用基板の製造方法。
【手続補正４】
【補正対象書類名】特許請求の範囲
【補正対象項目名】請求項１１
【補正方法】変更
【補正の内容】
【請求項１１】
前記除去工程後に、前記第２保護層が配置されるに先立って、前記第１保護層の上層として配置されるとともに前記電極配線層と電気的に接続される第２電極配線層を配置する工程をさらに具えたことを特徴とする請求項７ないし請求項１０のいずれかに記載のインクジェット記録ヘッド用基板の製造方法。
【手続補正５】
【補正対象書類名】明細書
【補正対象項目名】００１９
【補正方法】変更
【補正の内容】
【００１９】
そのために、本発明は、通電に応じてインクを吐出するために利用される熱エネルギを発生する発熱部を有するインクジェットヘッド用基板であって、
前記発熱部を形成するための間隙を有する電極配線層と、
前記間隙を含め前記電極配線層の上層として配置される発熱抵抗体層と、
前記電極配線層および前記発熱抵抗体層の上層として配置され、前記発熱部上で前記間隙より広い間隙を有する第１保護層と、
該第１保護層が有する間隙を含め前記第１保護層の上層として配置される第２保護層と、
を具えたことを特徴とする。
【手続補正６】
【補正対象書類名】明細書
【補正対象項目名】００２０
【補正方法】変更
【補正の内容】
【００２０】
また、本発明は、通電に応じてインクを吐出するために利用される熱エネルギを発生する発熱部を有するインクジェットヘッド用基板の製造方法であって、
基体上に、前記発熱部を形成するための間隙を有する電極配線層を配置する工程と、
前記間隙を含め前記電極配線層の上層として発熱抵抗体層を配置する工程と、
前記電極配線層および前記発熱抵抗体層の上層として第１保護層を配置する工程と、
該第１保護層を前記発熱部上で前記間隙より広い間隙を有する範囲で除去する除去工程と、
前記範囲を含め前記第１保護層の上層として第２保護層を配置する工程と、
を具えたことを特徴とする。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
所定の契機に基づき所定の抽選を行い、その抽選結果において特別条件を満たす場合には、遊技者に有利な特別遊技状態を導出可能に構成するとともに、前記抽選結果に応じて前記特別遊技状態終了後の遊技における遊技モードを、少なくとも通常モードと、それよりも価値の高い特別モードとの間で切換可能に構成するとともに、初期化時における遊技モードが通常モードとなるよう構成してなる遊技機であって、
電源の供給が遮断された場合に、少なくともそのときの遊技モードを記憶維持しておく記憶維持手段と、
電源の供給が再開された場合に、前記記憶維持された遊技モードにて遊技を開始させる復帰手段と、
所定のクリヤ操作が行われた場合、前記記憶維持された遊技モードに関わらず、少なくとも遊技モードを初期化するリセット手段と、
少なくとも遊技モードに関する情報を視覚態様及び聴覚態様のうち少なくとも一方の態様で教示可能な視聴覚教示手段と
を備え、
遊技モードが前記通常モードの場合、前記視聴覚教示手段が第１の態様をとり、
遊技モードが前記特別モードの場合、前記視聴覚教示手段が第２の態様をとるよう構成するとともに、
電源の供給が再開された場合であって、前記記憶維持された遊技モードが特別モードである場合には、前記視聴覚教示手段が前記第１及び第２の態様とは異なる第３の態様をとるよう構成したことを特徴とする遊技機。
【請求項２】
識別情報を変動表示可能な可変表示装置を備え、所定の契機に基づき所定の抽選を行い、その抽選結果において特別条件を満たす場合には、前記識別情報を特定の態様にて表示せしめ、遊技者に有利な特別遊技状態を導出するよう構成するとともに、前記特定の態様の種類により前記特別遊技状態終了後の遊技における遊技モードを、少なくとも通常モードと、それよりも価値の高い特別モードとの間で切換可能に構成するとともに、初期化時における遊技モードが通常モードとなるよう構成してなる遊技機であって、
電源の供給が遮断された場合に、少なくともそのときの遊技モードを記憶維持しておく記憶維持手段と、
電源の供給が再開された場合に、前記記憶維持された遊技モードにて遊技を開始させる復帰手段と、
所定のクリヤ操作が行われた場合、前記記憶維持された遊技モードに関わらず、少なくとも遊技モードを初期化するリセット手段と、
少なくとも遊技モードに関する情報を視覚態様又は聴覚態様で教示可能な視聴覚教示手段と
を備え、
遊技モードが前記通常モードの場合、前記視聴覚教示手段が第１の態様をとり、
遊技モードが前記特別モードの場合、前記視聴覚教示手段が第２の態様をとるよう構成するとともに、
電源の供給が再開された場合であって、前記記憶維持された遊技モードが特別モードである場合には、前記視聴覚教示手段が前記第１及び第２の態様とは異なる第３の態様をとるよう構成したことを特徴とする遊技機。
【請求項３】
電源の供給が継続され、かつ、遊技モードが特別モードであり、かつ、遊技が行われない状態が所定時間経過した場合にも、前記視聴覚教示手段が前記第３の態様をとるよう構成したことを特徴とする請求項１又は２に記載の遊技機。
【請求項４】
少なくとも電源の供給が再開された場合であって、それまでの電源の遮断時間が少なくとも規定時間以下であった場合には、前記記憶維持された遊技モードが特別モードであったとしても、前記第３の態様をとるのを禁止する禁止手段を設けたことを特徴とする請求項１乃至３のいずれかに記載の遊技機。
【手続補正書】
【提出日】平成19年5月25日(2007.5.25)
【手続補正１】
【補正対象書類名】特許請求の範囲
【補正対象項目名】請求項５
【補正方法】変更
【補正の内容】
【請求項５】
請求項４に記載の生体光計測装置において、前記検出部は、前記検出用光ファイバを伝搬した混合光から前記複数の光の強度をそれぞれ検出することにより、前記計測点ごとに通過光強度を検出し、
前記光強度調整部は、表示装置に前記検出部が検出した前記計測点ごとの光強度を表示させることを特徴とする生体光計測装置。
【手続補正書】
【提出日】平成19年8月1日(2007.8.1)
【手続補正１】
【補正対象書類名】特許請求の範囲
【補正対象項目名】請求項３
【補正方法】変更
【補正の内容】
【請求項３】
遊技機に貼付した破壊検知型の無線ＩＣタグと、遊技機の輸送元に設ける輸送元コンピュータと、遊技機輸送の目的地に設けるとともに上記輸送元コンピュータと通信可能な目的地コンピュータとを備え、上記無線ＩＣタグは、それを貼付した遊技機固有のタグＩＤを記憶する機能と、記憶しているタグＩＤを無線送信する機能と、自身が貼付されている遊技機からはがされた時に、無線送信する機能を停止させるか、または、はがされる前と異なるタグＩＤを出力する機能とを備え、上記目的地コンピュータは、上記輸送元コンピュータから暗号化キーを受信する機能と、上記無線ＩＣタグからタグＩＤを読み取る機能と、読み取ったタグＩＤを、上記暗号化キーを用いて暗号化し、暗号化タグＩＤとして出力する機能とを備え、上記輸送元コンピュータは、タグＩＤを記憶する機能と、タグＩＤを暗号化するための暗号化キーを生成する機能と、生成した暗号化キーを目的地コンピュータに対して送信する機能と、上記目的地コンピュータが出力する暗号化タグＩＤを受信する機能と、受信した暗号化タグＩＤを自身が送信した暗号化キーに対応する復号化キーを用いて復号化する機能とを備えた遊技機の物流管理システム。
【手続補正２】
【補正対象書類名】明細書
【補正対象項目名】発明の名称
【補正方法】変更
【補正の内容】
【発明の名称】遊技機の物流管理システム
【手続補正３】
【補正対象書類名】明細書
【補正対象項目名】０００１
【補正方法】変更
【補正の内容】
【０００１】
この発明は、例えば、工場からホールなどへ、遊技機を輸送する際に、工場出荷された遊技機が、輸送途中で不正な操作などをされないで、きちんと目的地に到着したことを確認するための遊技機の物流管理システムに関する。
【手続補正４】
【補正対象書類名】明細書
【補正対象項目名】０００７
【補正方法】変更
【補正の内容】
【０００７】
この発明の目的は、遊技機や、遊技機に取り付けられた電子部品などが交換されることなく、正しく、目的地に届いたかどうかを、輸送元で確認することができる遊技機の物流管理システムを提供することである。
【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
傾斜磁場コイルと、
前記傾斜磁場コイル内を貫通し、中に冷媒を流すことにより前記傾斜磁場コイルに発生した熱を冷却する冷媒流路と、
前記冷媒流路上に設けられて、前記冷媒流路内に流す冷媒を循環させる循環手段を
備えた磁気共鳴イメージング装置において、
前記冷媒流路上に設けられて、前記冷媒流路内を流れる冷媒が前記傾斜磁場コイルの発する熱によって気化するように前記冷媒流路内の圧力を調整する圧力調整手段と、
前記冷媒流路上に設けられて、前記傾斜磁場コイルに発生した熱によって冷媒流路内で気化された冷媒を再び液体に戻す復水手段を
備えたことを特徴とする磁気共鳴イメージング装置。
【請求項２】
前記圧力調整手段は、前記冷媒の相変化温度を低下させるように前記冷媒流路内圧力を調整することを特徴とする請求項１記載の磁気共鳴イメージング装置。
【請求項３】
前記圧力調整手段は、前記傾斜磁場コイルの動作温度で前記冷媒が沸騰するように前記冷媒流路内圧力を調整することを特徴とする請求項１記載の磁気共鳴イメージング装置。
【請求項４】
前記傾斜磁場コイルへの前記冷媒流路の入出力口にそれぞれ配置された温度計測手段と、
前記温度計測手段からの出力に基づいて、前記圧力調整手段を制御する制御手段と、を更に備えることを特徴とする請求項１乃至３のいずれか一項に記載の磁気共鳴イメージング装置。
【請求項５】
前記冷媒流路は、前記傾斜磁場コイルのコイル導体の一部を兼用することを特徴とする請求項１記載の磁気共鳴イメージング装置。
【請求項６】
前記冷媒流路は、前記傾斜磁場コイル内に設けられた、前記冷媒を溜めるための冷媒溜まりに接続されていることを特徴とする請求項１記載の磁気共鳴イメージング装置。
【請求項７】
前記冷媒は、水、アンモニア、アルコール、フロンの内のいずれか一つであることを特徴とする請求項１乃至６のいずれか一項に記載の磁気共鳴イメージング装置。
【手続補正２】
【補正対象書類名】明細書
【補正対象項目名】０００９
【補正方法】変更
【補正の内容】
【０００９】
本発明の第1の特徴によれば、傾斜磁場コイルと、前記傾斜磁場コイル内を貫通し、中に冷媒を流すことにより前記傾斜磁場コイルに発生した熱を冷却する冷媒流路と、前記冷媒流路上に設けられて、前記冷媒流路内に流す冷媒を循環させる循環手段を備え、前記冷媒流路上に設けられて、前記冷媒流路内を流れる冷媒が前記傾斜磁場コイルの発する熱によって気化するように前記冷媒流路内の圧力を調整する圧力調整手段と、前記冷媒流路上に設けられて、前記傾斜磁場コイルに発生した熱によって冷媒流路内で気化された冷媒を再び液体に戻す復水手段を備えたことを特徴とする磁気共鳴イメージング装置が提供される。
【手続補正３】
【補正対象書類名】明細書
【補正対象項目名】００１０
【補正方法】変更
【補正の内容】
【００１０】
本発明の第2の特徴によれば、前記冷媒流路は、前記傾斜磁場コイル内に設けられた、前記冷媒を溜めるための冷媒溜まりに接続されていることを特徴とする本発明の第1の特徴を併せ持つ磁気共鳴イメージング装置が提供される。
【手続補正４】
【補正対象書類名】明細書
【補正対象項目名】００１５
【補正方法】変更
【補正の内容】
【００１５】
本実施例では、傾斜磁場コイル2内と圧力調整弁3と循環ポンプ4と復水器5を回るように冷媒流路6が形成されている。圧力調整弁3は冷媒流路6内の圧力を調整するためのものであり、循環ポンプ4は冷媒流路6内の冷媒を循環させるような働きをするためのポンプであり、復水器5は気化した液体を再度液体に戻すためのものである。更に本実施例では、圧力調整弁3には真空ポンプ7が接続されていて、それらにより冷媒流路6内の気圧を低くする。これにより、冷媒流路6内に流される冷媒の相変化温度を通常より低くする。例えば、冷媒が水であれば通常液体から気体への相変化の温度は約100℃であるが、本実施例では、それより低く50℃ぐらいになるように冷媒流路6内の圧力を調整するとよい。なお、流される冷媒の量と冷媒流路内の圧力は傾斜磁場コイルの発熱量によって適宜決められる。そのため、傾斜磁場コイル2内の冷媒流路の冷媒入口と冷媒出口の近傍には温度センサ8a，8bを設け、その出力をコントローラ9へ入力し、コントローラ9が温度センサ8a，8bの出力に基いて、圧力調整弁3、循環ポンプ4、真空ポンプを制御するようにするとよい。この制御方法としては、傾斜磁場コイル2内の冷媒入口と冷媒出力との間の全ての経路において、冷媒の気化が生じるようにする。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
被検者が配置される空間を内部に有するガントリと、前記被検者に音声情報を伝達する少なくとも一つの音声情報伝達手段と、を備えた磁気共鳴イメージング装置において、
前記音声情報伝達手段は、前記ガントリに配置されて、圧電スピーカと該圧電スピーカの振動を音に変換する振動板とを有して成ることを特徴とする磁気共鳴イメージング装置。
【請求項２】
請求項１記載の磁気共鳴イメージング装置において、
前記音声情報伝達手段は、前記空間の開口部近傍に配置されていることを特徴とする磁気共鳴イメージング装置。
【請求項３】
請求項２記載の磁気共鳴イメージング装置において、
前記ガントリは円筒形状を有し、
前記音声情報伝達手段の少なくとも一つは、前記円筒内部の内周面に配置されていることを特徴とする磁気共鳴イメージング装置。
【請求項４】
請求項２記載の磁気共鳴イメージング装置において、
前記ガントリは円筒形状を有し、
前記音声情報伝達手段の少なくとも一つは、前記円筒の中心軸に垂直な側面に配置されていることを特徴とする磁気共鳴イメージング装置。
【請求項５】
請求項１記載の磁気共鳴イメージング装置において、
前記音声情報伝達手段の少なくとも一つは、前記空間内にhead firstで挿入された被検体の空間内に配置された頭部に向けて前記音声情報を伝達するように配置されていることを特徴とする磁気共鳴イメージング装置。
【請求項６】
請求項１記載の磁気共鳴イメージング装置において、
前記音声情報伝達手段の少なくとも一つは、前記空間内にfoot firstで挿入された被検体の空間外に配置された頭部に向けて前記音声情報を伝達するように配置されていることを特徴とする磁気共鳴イメージング装置。
【請求項７】
請求項１乃至６の何れか一項に記載の磁気共鳴イメージング装置において、
前記被検体からの音声を検出する圧電方式のマイクが前記ガントリに配置され、
前記マイクで検出した音声を操作者に伝達するためのスピーカが、前記ガントリが配置されたシールドルームの外に配置されていることを特徴とする磁気共鳴イメージング装置。
【手続補正２】
【補正対象書類名】明細書
【補正対象項目名】０００７
【補正方法】変更
【補正の内容】
【０００７】
本発明のMRI装置によれば、被検者が配置される空間を内部に有するガントリと、被検者に音声情報を伝達する少なくとも一つの音声情報伝達手段と、を備え、音声情報伝達手段は、ガントリに配置されて、圧電スピーカと該圧電スピーカの振動を音に変換する振動板とを有して成る。
【手続補正３】
【補正対象書類名】明細書
【補正対象項目名】０００８
【補正方法】変更
【補正の内容】
【０００８】
また、本発明のMRI装置の好ましい一実施形態は、音声情報伝達手段は、空間の開口部近傍に配置されている。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
発泡クッション材からなるマットレス本体の少なくとも背中・腰部部分を受ける箇所に形成された収容空間部内に、エア・クッション材収納バッグが収容されるマットレスであって、
エア・クッション材収納バッグは、クッション材が空気と共に密封バッグ内に収納されてなるものであることを特徴とするエア・クッション材入りマットレス。
【請求項２】
前記マットレス本体は、人体の頭部部分を受ける箇所と、背中・腰部部分を受ける箇所と、脚部部分を受ける箇所に分割されて、それぞれの接合部で三つ折り可能とされることを特徴とする請求項１に記載のエア・クッション材入りマットレス。
【手続補正２】
【補正対象書類名】明細書
【補正対象項目名】０００６
【補正方法】変更
【補正の内容】
【０００６】
上記目的を達成するため本発明は、発泡クッション材からなるマットレス本体の少なくとも背中・腰部部分を受ける箇所に収容空間部を形成し、この収容空間部内に、クッション材を空気と共に密封バッグ内に収納してなるエア・クッション材収納バッグを、収容するようにした。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
複数の有機ＥＬ素子を有し、前記有機ＥＬ素子からの光が他方面に放出されるアレイ基板と、
前記有機ＥＬ素子の駆動回路が前記アレイ基板と対向するようにして配される回路チップと、
前記アレイ基板と前記回路チップを接続するバンプと、
前記バンプと当接するアレイ基板側電極パッドと、前記バンプと当接する前記回路チップに設けられた回路チップ側電極パッドと、
を有する露光ヘッド。
【請求項２】
前記アレイ基板側電極パッドと、前記回路チップ側電極パットを千鳥状に配する請求項１記載の露光ヘッド。
【請求項３】
前記駆動回路が前記複数の有機ＥＬ素子に対向するように、前記アレイ基板と前記回路チップとが配される、請求項２に記載の露光ヘッド。
【請求項４】
前記アレイ基板は、前記複数の有機ＥＬ素子と、前記複数の有機ＥＬ素子の周辺領域に前記アレイ基板側電極パッドを配する請求項３に記載の露光ヘッド。
【請求項５】
前記回路チップは、前記駆動回路と、前記駆動回路の周辺領域に前記回路チップ側電極パッドを配置する請求項３または４に記載の露光ヘッド。
【請求項６】
複数の有機ＥＬ素子を有し、前記有機ＥＬ素子からの光が他方面に放出されるアレイ基板と、前記有機ＥＬ素子の駆動回路が前記アレイ基板と対向するように配される回路チップと、前記アレイ基板と前記回路チップを接続するバンプと、前記バンプと当接するアレイ基板側電極パッドと、前記バンプと当接する前記回路チップに設けられた回路チップ側電極パッドとを有する露光ヘッドを用いることを特徴とする画像形成装置。
【手続補正２】
【補正対象書類名】明細書
【補正対象項目名】発明の名称
【補正方法】変更
【補正の内容】
【発明の名称】露光ヘッドおよびそれを用いた画像形成装置
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
ガラス基板と、
前記ガラス基板の片側に設けられ、第１の導電性材料で構成された複数のアノード電極と、
前記複数のアノード電極と対向して配され、第２の導電性材料で構成されたカソード電極と、
前記第１の導電性材料で構成され、前記複数のアノード電極側の前記ガラス基板と前記カソード電極との間に配された第１の電極と、
前記複数のアノード電極と前記カソード電極との間に配された有機ＥＬ発光層と、
前記ガラス基板に対向して配された複数の駆動電極を有し、前記有機ＥＬ発光層の発光を制御するドライバＩＣと、
を備えたことを特徴とする露光ヘッド。
【請求項２】
前記カソード電極は、前記有機ＥＬ発光層と前記第１の電極とに接続されており、導通材を介して前記ドライバＩＣの駆動電極に接続されていることを特徴とする請求項１記載の露光ヘッド。
【請求項３】
前記アノード電極は、第２の電極及び前記導通材を介して前記ドライバＩＣの駆動電極に接続されていることを特徴とする請求項１に記載の露光ヘッド。
【請求項４】
前記第１の導電性材料は、前記ガラス基板に対する密着性が、前記第２の導電性材料より高いことを特徴とする請求項２又は３に記載の露光ヘッド。
【請求項５】
前記第1の導電性材料は、透明電極膜で構成される請求項４記載の露光ヘッド。
【請求項６】
ガラス基板と、前記ガラス基板の片側に設けられ、第１の導電性材料で構成された複数のアノード電極と、前記複数のアノード電極と対向して配され、第２の導電性材料で構成されたカソード電極と、前記第１の導電性材料で構成された、前記複数のアノード電極側の前記ガラス基板と前記カソード電極との間に配された第１の電極と、前記複数のアノード電極と前記カソード電極との間に配された有機ＥＬ発光層と、前記ガラス基板に対向して配された複数の駆動電極を有し、前記有機ＥＬ発光層の発光を制御するドライバＩＣと、
を備える露光ヘッドを用いることを特徴とする画像形成装置。
【手続補正２】
【補正対象書類名】明細書
【補正対象項目名】発明の名称
【補正方法】変更
【補正の内容】
【発明の名称】露光ヘッドおよびそれを用いた画像形成装置
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
一方面側に配される複数の有機ＥＬ素子からの光が他方面に放出されるアレイ基板と、
前記有機ＥＬ素子を駆動する駆動回路を含み、前記駆動回路の形成面が前記アレイ基板の一方面と対向するように直列に配される複数の回路チップと、
前記アレイ基板の一方面上であって前記有機ＥＬ素子の配された領域以外の場所に配されて前記回路チップを接続する配線群と、
を有する露光ヘッド。
【請求項２】
前記回路チップと前記配線群とをバンプ接続し、複数の前記回路チップの相互間をデイジーチェーン接続する請求項１記載の露光ヘッド。
【請求項３】
前記回路チップは、内部配線群を有し、前記内部配線群は、２層以上の積層配線を有する請求項２に記載の露光ヘッド。
【請求項４】
一方面側に配される複数の有機ＥＬ素子からの光が他方面に放出されるアレイ基板と、前記有機ＥＬ素子を駆動する駆動回路を含み、前記駆動回路の形成面が前記アレイ基板の一方面と対向するように直列に配される複数の回路チップと、前記アレイ基板の一方面上であって前記有機ＥＬ素子の配された領域以外の場所に配されて前記回路チップを接続する配線群と、を有する露光ヘッドを用いることを特徴とする画像形成装置。
【手続補正２】
【補正対象書類名】明細書
【補正対象項目名】発明の名称
【補正方法】変更
【補正の内容】
【発明の名称】露光ヘッドおよびそれを用いた画像形成装置
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
マトリックス状に配された複数の発光素子を有する光学ヘッドと、
前記マトリックス状に配された複数の発光素子に供給する電力を補正する調整データを保持する調整データレジスタと、
前記発光素子により形成される複数の画素に対応した複数の画素データレジスタと、
前記調整データ及び前記複数の画素を露光する複数の画素データを受信し、前記調整データ及び前記複数の画素データを順次シフトして前記調整データレジスタ及び前記複数の画素データレジスタにストアするストア手段と、
前記画素データレジスタにストアされた前記画素データに基づき、前記画素データに対応する発光素子を発光させる素子駆動回路と、
前記調整データに基づき、前記マトリックス状に配された複数の発光素子に供給する電力を調整する電力調整回路と
を備えた、光学ヘッドの制御装置。
【請求項２】
前記調整データをアナログ化するアナログ変換回路を備え、
前記電力調整回路は、アナログ変換された前記調整データに基づき、前記電力を調整する、請求項１に記載の光学ヘッドの制御装置。
【請求項３】
前記光学ヘッドは、前記発光素子を前記副走査方向に順次発光させ、前記主走査方向に配置される複数の画素を多重露光させる、請求項１に記載の光学ヘッドの制御装置。
【請求項４】
前記画素データレジスタから受信した画像データを順次シフトする複数の転送レジスタを有する、請求項１記載の光学ヘッドの制御装置。
【請求項５】
マトリックス状に配された複数の発光素子を有する光学ヘッドと、
前記マトリックス状に配された複数の発光素子に供給する電力を補正する調整データを保持する調整データレジスタと、
前記発光素子により形成される複数の画素に対応した複数の画素データレジスタと、
前記調整データ及び前記複数の画素を露光する複数の画素データを受信し、前記調整データ及び前記複数の画素データを順次シフトして前記調整データレジスタ及び前記複数の画素データレジスタにストアするストア手段と、
前記画素データレジスタにストアされた前記画素データに基づき、前記画素データに対応する発光素子を発光させる素子駆動回路と、
前記調整データに基づき、前記発光マトリクスに供給する電力を調整する電力調整回路と
を備えた画像形成装置。
【手続補正２】
【補正対象書類名】明細書
【補正対象項目名】発明の名称
【補正方法】変更
【補正の内容】
【発明の名称】光学ヘッドの制御装置およびそれを用いた画像形成装置
【手続補正３】
【補正対象書類名】明細書
【補正対象項目名】００１２
【補正方法】変更
【補正の内容】
【００１２】
上記制御装置は、調整データをアナログ変化するアナログ変換回路を更に備え、電力調整回路は、アナログ変換された調整データに基づき、電極を調整することが好ましい。かかる構成によれば、調整データに基づいて、各発光素子に供給される電力を容易に調整することができる。
【手続補正４】
【補正対象書類名】明細書
【補正対象項目名】００１３
【補正方法】変更
【補正の内容】
【００１３】
上記制御装置は、主走査方向に配置される複数の画素にそれぞれ対応して設けられ、対応する画像データレジスタから受信した画像データを順次シフトする複数の転送レジスタを有する複数のシフトレジスタをさらに備えてもよい。
【手続補正５】
【補正対象書類名】明細書
【補正対象項目名】００１４
【補正方法】変更
【補正の内容】
【００１４】
本発明に係る光学ヘッドの制御装置は、（ａ）マトリックス状に配された複数の発光素子を有する光学ヘッドと、（ｂ）前記マトリックス状に配された複数の発光素子に供給する電力を補正する調整データを保持する調整データレジスタと、（ｃ）前記発光素子により形成される複数の画素に対応した複数の画素データレジスタと、（ｄ）前記調整データ及び前記複数の画素を露光する複数の画素データを受信し、前記調整データ及び前記複数の画素データを順次シフトして前記調整データレジスタ及び前記複数の画素データレジスタにストアするストア手段と、（ｅ）前記画素データレジスタにストアされた前記画素データに基づき、前記画素データに対応する発光素子を発光させる素子駆動回路と、（ｆ）前記調整データに基づき、前記マトリックス状に配された複数の発光素子に供給する電力を調整する電力調整回路と、を備えた光学ヘッドの制御装置である。
好ましくは、前記光学ヘッドの制御装置は、前記調整データをアナログ化するアナログ変換回路を備え、前記電力調整回路は、アナログ変換された前記調整データに基づき、前記電力を調整する。
好ましくは、前記光学ヘッドは、前記発光素子を前記副走査方向に順次発光させ、前記主走査方向に配置される複数の画素を多重露光させる。
好ましくは、前記画素データレジスタから受信した画像データを順次シフトする複数の転送レジスタを有する。
本発明に係る画像形成装置は、（ａ）マトリックス状に配された複数の発光素子を有する光学ヘッドと、（ｂ）前記マトリックス状に配された複数の発光素子に供給する電力を補正する調整データを保持する調整データレジスタと、（ｃ）前記発光素子により形成される複数の画素に対応した複数の画素データレジスタと、（ｄ）前記調整データ及び前記複数の画素を露光する複数の画素データを受信し、前記調整データ及び前記複数の画素データを順次シフトして前記調整データレジスタ及び前記複数の画素データレジスタにストアするストア手段と、（ｅ）前記画素データレジスタにストアされた前記画素データに基づき、前記画素データに対応する発光素子を発光させる素子駆動回路と、（ｆ）前記調整データに基づき、前記発光マトリクスに供給する電力を調整する電力調整回路と、を備えた画像形成装置である。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
複数の有機ＥＬ素子が配された有機ＥＬアレイ基板と、
前記有機ＥＬ素子を駆動するドライバＩＣと、
前記有機ＥＬアレイ基板と前記ドライバＩＣとを接続するバンプと、
を含み、
前記有機ＥＬアレイ基板における前記複数の有機ＥＬ素子が配された素子形成面と前記ドライバＩＣが配された回路形成面が、前記バンプを介して配されていることを特徴とする露光ヘッド。
【請求項２】
前記バンプによって接合された前記有機ＥＬアレイ基板と前記ドライバＩＣとの接合部には、第１封止剤が配されていることを特徴とする請求項１に記載の露光ヘッド。
【請求項３】
前記有機ＥＬアレイ基板と前記ドライバＩＣとの接合部内側に、乾燥部材が介挿されていることを特徴とする請求項２に記載の露光ヘッド。
【請求項４】
前記有機ＥＬアレイ基板及び前記ドライバＩＣには、位置決め部が形成されていることを特徴とする請求項２または３に記載の露光ヘッド。
【請求項５】
前記有機ＥＬ素子からの光を集光する集光レンズが配された集光レンズアレイ基板を具備し、
前記集光レンズアレイ基板は、前記有機ＥＬアレイ基板における前記有機ＥＬ素子が形成されていない非素子形成面に固着されていることを特徴とする請求項１〜４のいずれか１項に記載の露光ヘッド。
【請求項６】
前記有機ＥＬアレイ基板と、前記ドライバＩＣと、前記バンプとを備えた露光ヘッドモジュールを具備し、前記露光ヘッドモジュールは、フレームで覆われていることを特徴とする請求項１〜５のいずれか１項に記載の露光ヘッド。
【請求項７】
前記露光ヘッドモジュールは、第２封止剤によって前記フレームに固定されていることを特徴とする請求項６記載の露光ヘッド。
【請求項８】
前記ドライバＩＣは、前記有機ＥＬアレイ基板の延在方向に直列接続されることを特徴とする請求項１〜７のいずれか１項に記載の露光ヘッド。
【請求項９】
複数の有機ＥＬ素子が配された有機ＥＬアレイ基板と、前記有機ＥＬ素子を駆動するドライバＩＣと、前記有機ＥＬアレイ基板と前記ドライバＩＣとを接続するバンプと、を含み、前記有機ＥＬアレイ基板における前記複数の有機ＥＬ素子が配された素子形成面と前記ドライバＩＣが配された回路形成面が、前記バンプを介して配される露光ヘッドを用いることを特徴とする画像形成装置。
【手続補正２】
【補正対象書類名】明細書
【補正対象項目名】発明の名称
【補正方法】変更
【補正の内容】
【発明の名称】露光ヘッドおよびそれを用いた画像形成装置
【手続補正書】
【提出日】平成19年4月23日(2007.4.23)
【手続補正１】
【補正対象書類名】明細書
【補正対象項目名】００７９
【補正方法】変更
【補正の内容】
【００７９】
[製造例１]（ポリマーＡの製造）
Ｐ−ヒドロキシ安息香酸３４５重量部、６−ヒドロキシ−２−ナフトエ酸１７５重量部、酢酸カリウム０．０２重量部、無水酢酸３５０重量部を、各々攪拌機及び留出管を備えた反応機に仕込み、充分に窒素置換した後、常圧下で１５０℃まで温度を上げ、攪拌を開始した。１５０℃で３０分攪拌し、さらに徐々に温度を上昇させ、副生する酢酸を留去した。温度が３００℃に達したところで、徐々に反応器中を減圧させ５ｔｏｒｒの圧力で１時間攪拌を続け、目標の攪拌トルクに達した時点で、反応器下部の排出孔を開け、窒素圧を使って樹脂をストランド状に取り出した。排出されたストランドをペレタイザによる粒子状にした。この全芳香族ポリエステル液晶樹脂（ポリマーＡ）の融点は２８０℃、３００℃の溶融粘度は３５Ｐａ・ｓであった。
【手続補正２】
【補正対象書類名】明細書
【補正対象項目名】００８０
【補正方法】変更
【補正の内容】
【００８０】
[製造例２]（ポリマーＢの製造）
Ｐ−ヒドロキシ安息香酸１７３重量部、６−ヒドロキシ−２−ナフトエ酸３８重量部、４,４’−ジヒドロキシビフェニル５２重量部、テレフタル酸６５重量部、４−アセトアミノフェノール１７重量部、酢酸カリウム０．０４重量部、無水酢酸２２１重量部を、各々攪拌機及び留出管を備えた反応機に仕込み、充分に窒素置換した後、常圧下で１５０℃まで温度を上げ、攪拌を開始した。１５０℃で３０分攪拌し、さらに徐々に温度を上昇させ、副生する酢酸を留去した。温度が３５０℃に達したところで、徐々に反応器中を減圧させ５ｔｏｒｒの圧力で１時間攪拌を続け、目標の攪拌トルクに達した時点で、反応器下部の排出孔を開け、窒素圧を使って樹脂をストランド状に取り出した。排出されたストランドをペレタイザによる粒子状にした。この全芳香族ポリエステル液晶樹脂（ポリマーＢ）の融点は３００℃、３２０℃の溶融粘度は２５Ｐａ・ｓであった。
【手続補正３】
【補正対象書類名】明細書
【補正対象項目名】００８１
【補正方法】変更
【補正の内容】
【００８１】
[製造例３]（ポリマーＣの製造）
Ｐ−ヒドロキシ安息香酸２８５重量部、６−ヒドロキシ−２−ナフトエ酸３０重量部、４,４’−ジヒドロキシビフェニル８０重量部、４−アセトアミノフェノール２５重量部、テレフタル酸１００重量部、酢酸カリウム０．０７重量部、無水酢酸３５０重量部を、各々攪拌機及び留出管を備えた反応機に仕込み、充分に窒素置換した後、常圧下で１５０℃まで温度を上げ、攪拌を開始した。１５０℃で８０分攪拌し、さらに徐々に温度を上昇させ、副生する酢酸を留去した。温度が３５０℃に達したところで、徐々に反応器中を減圧させ５ｔｏｒｒの圧力で１時間攪拌を続け、目標の攪拌トルクに達した時点で、反応器下部の排出孔を開け、窒素圧を使って樹脂をストランド状に取り出した。排出されたストランドをペレタイザによる粒子状にした。この全芳香族ポリエステル液晶樹脂（ポリマーＣ）の融点は３４０℃、３６０℃の溶融粘度は１０Ｐａ・ｓであった。
【手続補正４】
【補正対象書類名】明細書
【補正対象項目名】００８２
【補正方法】変更
【補正の内容】
【００８２】
[製造例４]（ポリマーＤの製造）
Ｐ−ヒドロキシ安息香酸９３重量部、６−ヒドロキシ−２−ナフトエ酸７９重量部、４,４’−ジヒドロキシビフェニル３９重量部、４−アセトアミノフェノール１３重量部、テレフタル酸４９重量部、酢酸カリウム０．０２重量部、無水酢酸１６７重量部を、各々攪拌機及び留出管を備えた反応機に仕込み、充分に窒素置換した後、常圧下で１５０℃まで温度を上げ、攪拌を開始した。１５０℃で３０分攪拌し、さらに徐々に温度を上昇させ、副生する酢酸を留去した。温度が３５０℃に達したところで反応器中を減圧させ、圧力が５ｔｏｒｒに達した時点からさらに３０分攪拌し、反応器下部の排出孔を開け、窒素圧を使って樹脂をストランド状に取り出した。排出されたストランドをペレタイザによる粒子状にした。この全芳香族ポリエステル液晶樹脂（ポリマーＤ）の融点は２１５℃、２３０℃の溶融粘度は８０Ｐａ・ｓであった。